(57)【要約】【課題】療養担当者に情報を提供することができ、かつ、個人情報保護の法的要件をシステムの運用そのものにより満たすことができ、また、情報漏洩の可能性をより低減させられるようにする。【解決手段】情報提供システムが、保険者から一時的に取得した被保険者のレセプト情報に基づく匿名の情報と、レセプト情報を識別する匿名のレセプト識別情報とが対応付けられた提供用情報を生成する提供用情報生成部と、提供用情報をレセプト情報の送信元の保険者のサーバ装置に送信する提供用情報応答部と、療養担当者の端末装置からの提供用情報の提供要求に対して、提供される情報の対象者である被保険者の認証を行う認証処理部と、認証に成功した場合、レセプト識別情報に基づいて保険者のサーバ装置から提供用情報を取得する提供用情報取得部と、得られた提供用情報を要求元の療養担当者の端末装置に送信する提供用情報送信部と、を備える。【選択図】図１
2019197281.tif 000002
【特許請求の範囲】
【請求項１】
保険者から一時的に取得した被保険者のレセプト情報に基づく匿名の情報と、前記レセプト情報を識別する匿名のレセプト識別情報とが対応付けられた提供用情報を生成する提供用情報生成部と、
前記提供用情報を前記レセプト情報の送信元の保険者のサーバ装置に送信する提供用情報応答部と、
療養担当者の端末装置からの前記提供用情報の提供要求に対して、提供される情報の対象者である被保険者の認証を行う認証処理部と、
前記認証処理部が認証に成功した場合、前記レセプト識別情報に基づいて前記保険者のサーバ装置から前記提供用情報を取得する提供用情報取得部と、
得られた提供用情報を要求元の療養担当者の端末装置に送信する提供用情報送信部と、
を備える情報提供システム。
【請求項２】
前記認証処理部は、前記療養担当者の端末装置からの前記提供用情報の提供要求に対して、情報提供の要求者である療養担当者の認証をさらに行い、
前記提供用情報取得部は、前記認証処理部が前記被保険者の認証および前記療養担当者の認証の両方に成功した場合、前記保険者のサーバ装置から前記提供用情報を取得する、
請求項１に記載の情報提供システム。
【請求項３】
保険者と、当該保険者による保険の適用対象の被保険者とを示す資格情報を取得する情報取得部と、
前記被保険者と一対一に対応付けられた個人識別情報と、前記被保険者の現在または過去の保険の保険者毎に当該保険者において前記被保険者を識別する被保険者識別情報とが対応付けられた個人資格履歴情報を、前記資格情報に基づいて生成する個人資格履歴情報生成部と、
をさらに備え、
前記提供用情報生成部は、前記個人資格履歴情報における前記被保険者識別情報と前記レセプト識別情報とが対応付けられたレセプト情報閲覧用ＩＤリストを生成し、
前記提供用情報取得部は、前記レセプト情報閲覧用ＩＤリストから得られる前記レセプト識別情報に基づいて、前記保険者のサーバ装置から前記提供用情報を取得する
請求項１または請求項２に記載の情報提供システム。
【請求項４】
前記情報取得部は、前記被保険者の保険の記号および番号と、前記被保険者の生年月日と、前記被保険者の氏名とを示す前記資格情報を取得し、
前記個人資格履歴情報生成部は、前記被保険者の保険の記号および番号と、前記被保険者の生年月日と、前記被保険者の氏名とに基づくハッシュ値を前記被保険者識別情報として生成する、
請求項３に記載の情報提供システム。
【請求項５】
保険者から一時的に取得した被保険者のレセプト情報に基づく匿名の情報と、前記レセプト情報を識別する匿名のレセプト識別情報とが対応付けられた提供用情報を生成する工程と、
前記提供用情報を前記レセプト情報の送信元の保険者のサーバ装置に送信する工程と、
療養担当者の端末装置からの前記提供用情報の提供要求に対して、提供される情報の対象者である被保険者の認証を行う工程と、
前記認証に成功した場合、前記レセプト識別情報に基づいて前記保険者のサーバ装置から前記提供用情報を取得する工程と、
得られた提供用情報を要求元の療養担当者の端末装置に送信する工程と、
を含む情報提供方法。
【請求項６】
コンピュータに、
保険者から一時的に取得した被保険者のレセプト情報に基づく匿名の情報と、前記レセプト情報を識別する匿名のレセプト識別情報とが対応付けられた提供用情報を生成する工程と、
前記提供用情報を前記レセプト情報の送信元の保険者のサーバ装置に送信する工程と、
療養担当者の端末装置からの前記提供用情報の提供要求に対して、提供される情報の対象者である被保険者の認証を行う工程と、
前記認証に成功した場合、前記レセプト識別情報に基づいて前記保険者のサーバ装置から前記提供用情報を取得する工程と、
得られた提供用情報を要求元の療養担当者の端末装置に送信する工程と、
を実行させるためのプログラム。
【発明の詳細な説明】
【技術分野】
【０００１】
本発明は、情報提供システム、情報提供方法およびプログラムに関する。
【背景技術】
【０００２】
患者の傷病および治療の状況を把握するためにレセプト情報を利用する技術が提案されている。
例えば、特許文献１に記載の情報処理システムは、健康保険組合システムから電子レセプトデータを取得してデータセンタのサーバ内データベースを更新する。
【先行技術文献】
【特許文献】
【０００３】
【特許文献１】再公表ＷＯ２０１３／１６１４５８号公報
【発明の概要】
【発明が解決しようとする課題】
【０００４】
健康保険組合等から第三者提供されたレセプトデータをサーバ装置に蓄積しておき、療養担当者に情報提供することで、療養担当者は、患者の傷病および治療の状況を把握することができ、より適切な医療の提供を行うことができる。
一方、健康保険組合等からレセプトデータを取得してサーバ装置に蓄積しておくためには、法に基づき被保険者各々から第三者提供に関する事前同意を取得する必要があるが、情報提供の対象となる全ての被保険者から事前同意を取得することは困難である。特に、全ての健康保険の全ての被保険者が情報提供の対象となる場合など、被保険者の数が非常に多い場合、全ての被保険者一人ひとりから事前同意を取得することは実務上不可能に近い。また大量のレセプトデータをごく限られたサーバ装置に蓄積することで、情報漏洩の可能性が高くなる。
療養担当者に情報を提供することができ、かつ、情報漏洩の可能性をより低減させられることが好ましい。
【０００５】
本発明は、療養担当者に情報を提供することができ、かつ、個人情報保護の法的要件をシステムの運用そのものにより満たすことを可能とし、また、情報漏洩の可能性をより低減させることができる情報提供システム、情報提供方法およびプログラムを提供する。
【課題を解決するための手段】
【０００６】
本発明の第１の態様によれば、情報提供システムは、保険者から一時的に取得した被保険者のレセプト情報に基づく匿名の情報と、前記レセプト情報を識別する匿名のレセプト識別情報とが対応付けられた提供用情報を生成する提供用情報生成部と、前記提供用情報を前記レセプト情報の送信元の保険者のサーバ装置に送信する提供用情報応答部と、療養担当者の端末装置からの前記提供用情報の提供要求に対して、提供される情報の対象者である被保険者の認証を行う認証処理部と、前記認証処理部が認証に成功した場合、前記レセプト識別情報に基づいて前記保険者のサーバ装置から前記提供用情報を取得する提供用情報取得部と、得られた提供用情報を要求元の療養担当者の端末装置に送信する提供用情報送信部と、を備える。
【０００７】
前記認証処理部は、前記療養担当者の端末装置からの前記提供用情報の提供要求に対して、情報提供の要求者である療養担当者の認証をさらに行い、前記提供用情報取得部は、前記認証処理部が前記被保険者の認証および前記療養担当者の認証の両方に成功した場合、前記保険者のサーバ装置から前記提供用情報を取得するようにしてもよい。
【０００８】
前記情報提供システムが、保険者と、当該保険者による保険の適用対象の被保険者とを示す資格情報を取得する情報取得部と、前記被保険者と一対一に対応付けられた個人識別情報と、前記被保険者の現在または過去の保険の保険者毎に当該保険者において前記被保険者を識別する被保険者識別情報とが対応付けられた個人資格履歴情報を、前記資格情報に基づいて生成する個人資格履歴情報生成部と、をさらに備え、前記提供用情報生成部は、前記個人資格履歴情報における前記被保険者識別情報と前記レセプト識別情報とが対応付けられたレセプト情報閲覧用ＩＤリストを生成し、前記提供用情報取得部は、前記レセプト情報閲覧用ＩＤリストから得られる前記レセプト識別情報に基づいて、前記保険者のサーバ装置から前記提供用情報を取得するようにしてもよい。
【０００９】
前記情報取得部は、前記被保険者の保険の記号および番号と、前記被保険者の生年月日と、前記被保険者の氏名とを示す前記資格情報を取得し、前記個人資格履歴情報生成部は、前記被保険者の保険の記号および番号と、前記被保険者の生年月日と、前記被保険者の氏名とに基づくハッシュ値を前記被保険者識別情報として生成するようにしてもよい。
【００１０】
本発明の第２の態様によれば、情報提供方法は、保険者から一時的に取得した被保険者のレセプト情報に基づく匿名の情報と、前記レセプト情報を識別する匿名のレセプト識別情報とが対応付けられた提供用情報を生成する工程と、前記提供用情報を前記レセプト情報の送信元の保険者のサーバ装置に送信する工程と、療養担当者の端末装置からの前記提供用情報の提供要求に対して、提供される情報の対象者である被保険者の認証を行う工程と、前記認証に成功した場合、前記レセプト識別情報に基づいて前記保険者のサーバ装置から前記提供用情報を取得する工程と、得られた提供用情報を要求元の療養担当者の端末装置に送信する工程と、を含む。
【００１１】
本発明の第３の態様によれば、プログラムは、コンピュータに、保険者から一時的に取得した被保険者のレセプト情報に基づく匿名の情報と、前記レセプト情報を識別する匿名のレセプト識別情報とが対応付けられた提供用情報を生成する工程と、前記提供用情報を前記レセプト情報の送信元の保険者のサーバ装置に送信する工程と、療養担当者の端末装置からの前記提供用情報の提供要求に対して、提供される情報の対象者である被保険者の認証を行う工程と、前記認証に成功した場合、前記レセプト識別情報に基づいて前記保険者のサーバ装置から前記提供用情報を取得する工程と、得られた提供用情報を要求元の療養担当者の端末装置に送信する工程と、を実行させるためのプログラムである。
【発明の効果】
【００１２】
この発明によれば、療養担当者に情報を提供することができ、かつ、個人情報保護の法的要件をシステムの運用そのものにより満たすことができ、また、情報漏洩の可能性をより低減させることができる。
【図面の簡単な説明】
【００１３】
【図１】実施形態に係る情報提供システムの装置構成の例を示す概略ブロック図である。
【図２】実施形態に係るレセプト情報処理装置の機能構成の例を示す概略ブロック図である。
【図３】実施形態に係る個人資格履歴情報生成部が生成する個人資格履歴情報のデータ構成の例を示す図である。
【図４】実施形態に係る個人資格履歴情報生成部が生成するレセプト情報閲覧用ＩＤリストのデータ構成の例を示す図である。
【図５】実施形態に係る提供用情報生成部が生成する提供用情報のデータ構成の例を示す図である。
【図６】実施形態に係る提供用情報生成部が特定項目情報の生成に用いるレセプト情報の１ページ目の例を示す図である。
【図７】実施形態に係る提供用情報生成部が特定項目情報の生成に用いるレセプト情報の２ページ目の例を示す図である。
【図８】実施形態に係る提供用情報生成部が特定項目情報の生成に用いるレセプト情報の３ページ目の例を示す図である。
【図９】実施形態に係る情報提供サービス装置の機能構成の例を示す概略ブロック図である。
【図１０】実施形態に係る端末装置の装置構成の例を示す概略ブロック図である。
【図１１】実施形態に係るレセプト情報処理装置がレセプト情報閲覧用ＩＤリストを生成する処理手順の例を示すシーケンス図である。
【図１２】実施形態に係るレセプト情報処理装置が提供用情報を生成する際の処理の手順の例を示すシーケンス図である。
【図１３】実施形態に係るレセプト情報処理装置が端末装置からの要求に応じてレセプト識別情報を送信する処理手順の例を示すシーケンス図である。
【図１４】実施形態に係る情報提供サービス装置が端末装置からの要求に応じて提供用情報を提供する際の処理の手順の例を示すシーケンス図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、実施形態に係る情報提供システムの装置構成の例を示す概略ブロック図である。図１に示す構成で、レセプト情報処理装置１００と、情報提供サービス装置２００との組み合わせを情報提供システムと称する。
また、レセプト情報処理装置１００、情報提供サービス装置２００、レセプト情報サーバ装置７１０、提供用情報サーバ装置７２０、端末装置８００の各々は、通信ネットワーク９００に通信接続する。情報提供システム１と通信を行うレセプト情報サーバ装置７１０および提供用情報サーバ装置７２０の数は、それぞれ１つ以上であればよい。情報提供システム１と通信を行う端末装置８００の数も１つ以上であればよい。
【００１５】
情報提供システム１は、健康保険の被保険者の情報を医療機関の療養担当者に提供する。ここでいう医療機関とは、調剤薬局、病院または診療所、または歯科医院など、医療提供施設である。また、診断、検査、治療などの医療行為と、薬など医療のための物の提供とを総称して、療養と表記する。医師または薬剤師など、被保険者に対して療養を提供する者を療養担当者と表記する。
【００１６】
情報提供システム１自らは被保険者の提供用情報（療養担当者に提供される情報）を蓄積せず、療養担当者の端末装置８００からの情報提供要求に対し、被保険者の情報を提供用情報サーバ装置７２０から取得して要求元の端末装置８００へ送信する。
情報提供システム１が、被保険者の情報を蓄積する必要がない点で、情報提供システム１が被保険者の情報を蓄積する場合よりも情報漏洩の可能性を低減させることができる。
【００１７】
レセプト情報サーバ装置７１０は、レセプト情報を記憶する。レセプト情報サーバ装置７１０は、保険者毎に設けられ、その保険者の保険の適用対象のレセプト情報を記憶する。ここでいう保険者は、健康保険組合、協会けんぽ、共済組合、国民健康保険、後期高齢者医療広域連合など、公的医療保険の給付を行う者である。
レセプト情報サーバ装置７１０は、例えばワークステーション（Workstation）またはパソコン（Personal Computer；ＰＣ）等のコンピュータを用いて構成される。
【００１８】
提供用情報サーバ装置７２０は、レセプト情報から抽出された情報を示す提供用情報を記憶する。提供用情報サーバ装置７２０は、レセプト情報サーバ装置７１０と同様、保険者毎に設けられる。そして、レセプト情報サーバ装置７１０が送信したレセプト情報に基づく提供用情報が、レセプト情報送信元のレセプト情報サーバ装置７１０と同じ保険者の提供用情報サーバ装置７２０によって記憶される。
提供用情報サーバ装置７２０は、例えばワークステーションまたはパソコン等のコンピュータを用いて構成される。
レセプト情報サーバ装置７１０と提供用情報サーバ装置７２０とが別々の装置として構成されていることで、匿名化された提供用情報と、レセプト情報など個人を特定可能な情報とが共に漏洩する可能性を低減することができる。この点で、情報漏洩の可能性をより低減させることができる。
【００１９】
端末装置８００は、療養担当者による操作を受けて、被保険者の情報の提供を情報提供システム１に要求し、提供される情報を表示する。
端末装置８００は、例えばスマートフォンまたはパソコン等のコンピュータを用いて構成される。
【００２０】
レセプト情報処理装置１００は、情報提供システム１が療養担当者に情報提供を行うための前処理を行う。特に、レセプト情報処理装置１００は、保険者のレセプト情報サーバ装置７１０からレセプト情報を一時的に取得し、レセプト情報に基づいて提供用情報を生成し、レセプト情報提供元の保険者の提供用情報サーバ装置７２０へ提供用情報を送信する。以下では、レセプト情報処理装置１００の運用者をレセプト情報処理機構と称する。
【００２１】
レセプト情報処理装置１００は、例えばワークステーションまたはパソコン等のコンピュータを用いて構成される。レセプト情報処理装置１００が、１つのコンピュータを用いて構成されていてもよいし、複数のコンピュータを用いて構成されていてもよい。
レセプト情報処理装置１００は、保険者が有しているレセプト情報を加工し、成果物である提供用情報を保険者自身が管理している提供用情報サーバ装置７２０に送信するので、業務委託の範囲内で処理を行うことができる。これにより、レセプト情報処理装置１００が提供用情報を生成する毎に被保険者の承諾を得る必要はない。
【００２２】
また、レセプト情報処理装置１００は、レセプト情報閲覧用ＩＤリストを生成し、記憶する。レセプト情報閲覧用ＩＤリストは、提供用情報サーバ装置７２０が記憶する提供用情報を識別するレセプト識別情報を被保険者毎に示す。特に、被保険者の保険が切り替わっている場合、レセプト情報処理装置１００は、現在の保険の適用対象のレセプトに基づく提供用情報だけでなく、過去の保険の適用対象のレセプトに基づく提供用情報についても、当該提供用情報を識別するレセプト識別情報を含むレセプト情報閲覧用ＩＤリストを生成し、記憶する。情報提供システム１は、このレセプト情報閲覧用ＩＤリストを用いて、保険の切り替わり後の被保険者の情報だけでなく、保険の切り替わり前の被保険者の情報も療養担当者に提供することができる。
【００２３】
また、情報提供システム１が、レセプト情報閲覧用ＩＤリストを用いて提供用情報サーバ装置７２０から提供用情報を取得することで、情報提供システム１自らは被保険者に関する実態的な情報を格納する必要がない。この点で、上記のように情報漏洩の可能性を低減させることができる。
【００２４】
情報提供サービス装置２００は、端末装置８００からの要求に応じて提供用情報サーバ装置７２０から提供用情報を取得し、要求元の端末装置８００へ提供用情報を送信する。具体的には、情報提供サービス装置２００は、端末装置８００からレセプト識別情報を取得し、得られたレセプト識別情報に対応付けられている提供用情報を提供用情報サーバ装置７２０から取得する。情報提供サービス装置２００は、得られた提供用情報を要求元の端末装置８００へ送信する。
情報提供サービス装置２００は、例えばワークステーションまたはパソコン等のコンピュータを用いて構成される。情報提供サービス装置２００が、１つのコンピュータを用いて構成されていてもよいし、複数のコンピュータを用いて構成されていてもよい。
【００２５】
以下では、情報提供サービス装置２００の運用者を情報提供事業者と称する。レセプト情報処理装置１００と情報提供サービス装置２００とが、一体の装置として構成されていてもよいし、別々の装置として構成されていてもよい。レセプト情報処理装置１００を運用するレセプト情報処理機構と、情報提供サービス装置２００を運用する情報提供事業者とは同一であってもよいし、異なっていてもよい。
【００２６】
通信ネットワーク９００は、レセプト情報処理装置１００と、情報提供サービス装置２００と、レセプト情報サーバ装置７１０と、提供用情報サーバ装置７２０と、端末装置８００との間の通信を仲介する。通信ネットワーク９００の構成は、特定の構成に限定されない。例えば、通信ネットワーク９００が、インターネット（Internet）と携帯電話網（通信事業者がスマートフォン（Smartphone）等の携帯電話向けに提供する通信ネットワーク）とを含んで構成されていてもよいが、これに限定されない。
【００２７】
図２は、レセプト情報処理装置１００の機能構成の例を示す概略ブロック図である。図２に示す構成で、レセプト情報処理装置１００は、処理側通信部１１０と、処理側記憶部１８０と、処理側制御部１９０とを備える。処理側記憶部１８０は、レセプト情報閲覧用ＩＤリスト記憶部１８１を備える。処理側制御部１９０は、個人資格履歴情報生成部１９１と、提供用情報生成部１９２とを備える。
【００２８】
処理側通信部１１０は、他の装置と通信を行う。特に、処理側通信部１１０は、情報取得部の例に該当し、保険者のレセプト情報サーバ装置７１０から資格情報を受信する。ここでいう資格情報は、保険者と、当該保険者による保険の適用対象の被保険者とを示す情報である。具体的には、処理側通信部１１０は、被保険者の保険の記号および番号と、被保険者の生年月日と、被保険者の氏名とを示す資格情報を受信する。
また、処理側通信部１１０は、提供用情報応答部の例に該当し、レセプト情報処理装置１００がレセプト情報に基づいて生成した提供用情報を、レセプト情報の送信元の保険者の提供用情報サーバ装置７２０に送信する。
【００２９】
処理側記憶部１８０は、各種情報を記憶する。処理側記憶部１８０は、レセプト情報処理装置１００が備える記憶デバイスを用いて構成される。
レセプト情報閲覧用ＩＤリスト記憶部１８１は、レセプト情報閲覧用ＩＤリストを記憶する。上記のように、レセプト情報閲覧用ＩＤリストは、提供用情報サーバ装置７２０から提供用情報を取得するためのレセプト識別情報を被保険者毎に示す情報である。
【００３０】
処理側制御部１９０は、レセプト情報処理装置１００の各部を制御して各種処理を実行する。処理側制御部１９０は、レセプト情報処理装置１００が備えるＣＰＵ（Central Processing Unit、中央処理装置）が処理側記憶部１８０からプログラムを読み出して実行することで構成される。
個人資格履歴情報生成部１９１は、処理側通信部１１０が受信する資格情報に基づいて、個人資格履歴情報を生成する。
【００３１】
図３は、個人資格履歴情報生成部１９１が生成する個人資格履歴情報のデータ構成の例を示す図である。図３の例で、個人資格履歴情報は、１つの個人識別情報と保険者毎の被保険者識別情報とが対応付けられて構成されている。個人識別情報は、被保険者と一対一に対応付けられて被保険者を識別する情報である。被保険者識別情報は、被保険者の現在または過去の保険の保険者毎に、当該保険者において被保険者を識別する情報である。
【００３２】
以下では、個人資格履歴情報生成部１９１が、被保険者の保険の記号および番号と、被保険者の生年月日と、被保険者の氏名とに基づくハッシュ値を被保険者識別情報として生成する場合を例に説明する。
個人資格履歴情報を用いれば、被保険者の現在の保険証の情報から、被保険者の現在の保険の保険者だけでなく、被保険者の過去の保険の保険者においても被保険者を識別可能である。例えば、以下の手順で、各保険者における被保険者識別情報を取得することができる。
【００３３】
（１）  被保険者の現在の保険証に記載の記号、番号、生年月日および氏名を用いてハッシュ演算を行って、被保険者の現在の保険の保険者における被保険者識別情報を取得する。
（２）  得られた被保険者識別情報に個人資格履歴情報で対応付けられている個人識別情報を読み取る。
（３）  得られた個人識別情報に個人資格履歴情報で対応付けられている被保険者識別情報を全て読み取る。
【００３４】
本実施形態では、レセプト情報処理装置１００は、個人資格情報にレセプト識別情報がさらに対応付けられたレセプト情報閲覧用ＩＤリストを生成する。情報提供サービス装置２００は、被保険者識別情報を用いてのレセプト情報または提供用情報の取得は行わず、レセプト情報閲覧用ＩＤリストを用いて提供用情報サーバ装置７２０から提供用情報を取得する。
【００３５】
図４は、個人資格履歴情報生成部１９１が生成するレセプト情報閲覧用ＩＤリストのデータ構成の例を示す図である。図４の例で、レセプト情報閲覧用ＩＤリストは、個人資格履歴情報とレセプト識別情報とを含んで構成され、個人資格履歴情報の被保険者識別情報とレセプト識別情報とが対応付けられている。レセプト情報閲覧用ＩＤリストのレセプト識別情報は、何れも、個人識別情報が識別する被保険者のレセプトを識別する。レセプト識別情報の各々は、そのレセプト識別情報が識別するレセプトに適用対象の保険の保険者の被保険者識別情報と対応付けられている。
レセプト識別情報を用いて、提供用情報サーバ装置７２０から提供用情報を取得することができる。
【００３６】
図４の例では、個人識別情報の値が「Ｇ７５」となっている。
また、図４の例では、２つの保険者それぞれにおける被保険者識別情報が個人資格履歴情報に含まれている。第１の被保険者の被保険者識別情報の値は「５５５」となっている。第２の被保険者の被保険者識別情報の値は「７７７」となっている。
値が「５５５」の被保険者識別情報には、値が「６７５４」のレセプト識別情報と、値が「６７８９」のレセプト識別情報と、・・・、値が「６８３１」のレセプト識別情報とが対応付けられている。値が「７７７」の被保険者識別情報には、値が「８０４４」のレセプト識別情報と、値が「８２３１」のレセプト識別情報と、・・・、値が「８８５８」のレセプト識別情報とが対応付けられている。
【００３７】
提供用情報生成部１９２は、提供用情報を生成する。
図５は、提供用情報生成部１９２が生成する提供用情報のデータ構成の例を示す図である。図５の例で、提供用情報は、レセプト識別情報と特定項目情報とが一対一に対応付けられて構成されている。提供用情報の特定項目情報は、その提供用情報のレセプト識別情報が識別するレセプト情報から、予め定められている特定項目の情報を抽出して生成される。提供用情報生成部１９２は、１つのレセプト情報から１つの特定項目情報が生成される。従って、レセプト識別情報は、レセプトを識別する情報であるとともに、特定項目情報を識別する情報でもある。さらには、上記のようにレセプト識別情報と提供用情報とは一対一に対応付けられているので、レセプト識別情報を用いれば、提供用情報を一意に識別することができる。
【００３８】
図５の例では、特定項目情報は、傷病歴と治療歴との各項目を含み、治療歴について、投薬と、処置と、手術と、検査との各項目を含む。提供用情報生成部１９２は、これら傷病歴、投薬、処置、手術および検査の各項目の情報を、レセプト情報から抽出して特定項目情報を生成する。
【００３９】
図６は、提供用情報生成部１９２が特定項目情報の生成に用いるレセプト情報の１ページ目の例を示す図である。図６は、３ページのレセプト情報のうちの１ページ目を示している。図６に示すレセプト情報の１ページ目は、傷病歴の情報を示す領域Ａ１１と、傷病歴の情報の続きを示す領域Ａ１２と、投薬を示す領域Ａ１３とを含んでいる。
【００４０】
図７は、提供用情報生成部１９２が特定項目情報の生成に用いるレセプト情報の２ページ目の例を示す図である。図７は、図６に１ページ目を示すレセプト情報の２ページ目を示している。図７に示すレセプト情報の２ページ目は、投薬の情報の続きを示す領域Ａ２１と、処置の情報を示す領域Ａ２２と、手術の情報を示す領域Ａ２３と、手術の情報の続きを示す領域Ａ２４と、検査の情報を示す領域Ａ２５とを含んでいる。
【００４１】
図８は、提供用情報生成部１９２が特定項目情報の生成に用いるレセプト情報の３ページ目の例を示す図である。図８は、図６に１ページ目を示すレセプト情報の３ページ目を示している。図８に示すレセプト情報の３ページ目は、検査の情報の続きを示す領域Ａ３１を含んでいる。
【００４２】
例えば、保険者のレセプト情報サーバ装置７１０が図６〜図８に例示されるレセプト情報をレセプト情報処理装置１００へ送信して提供用情報の生成を促す。提供用情報生成部１９２は、レセプト情報処理装置１００が受信したレセプト情報から被保険者に対する療養の情報を抽出して特定項目情報を生成する。
図６〜図８の例の場合、提供用情報生成部１９２は、領域Ａ１１および領域Ａ１２から傷病歴の情報を抽出する。また、提供用情報生成部１９２は、領域Ａ１３および領域Ａ２１から投薬の情報を抽出する。また、提供用情報生成部１９２は、領域Ａ２２から処置の情報を抽出する。また、提供用情報生成部１９２は、領域Ａ２３およびＡ２４から手術の情報を取得する。また、提供用情報生成部１９２は、領域Ａ２５およびＡ３１から検査の情報を抽出する。
【００４３】
提供用情報生成部１９２は、抽出した情報を用いて、図５に例示される特定項目情報を生成する。そして、提供用情報生成部１９２は、得られた特定項目情報とレセプト識別情報とを対応付けて提供用情報を生成する。
提供用情報の生成を完了すると、提供用情報生成部１９２は、レセプト情報を削除する。また、処理側通信部１１０が、処理側制御部１９０の制御に従って提供用情報をレセプト情報提供元の保険者の提供用情報サーバ装置７２０へ送信する。
【００４４】
レセプト情報のうち、被保険者の氏名など被保険者を特定する情報は、提供用情報生成部１９２が特定項目情報に含める情報から除外されている。これにより、提供用情報生成部１９２は、匿名化された特定項目情報を生成する。
但し、提供用情報生成部１９２が特定項目情報に含める情報は、上記した傷病歴、投薬、処置、手術および検査の情報に限定されない。例えば、提供用情報生成部１９２が、これらの情報に加えて画像診断の情報をレセプトから抽出し、画像診断の情報をさらに含む特定項目情報を生成するようにしてもよい。
【００４５】
認証処理部１９３は、情報提供システム１が端末装置８００からの提供用情報の提供要求に対して、療養担当者の認証および被保険者の認証を行う。認証処理部１９３が行う認証のうち、療養担当者の認証は、無資格者が不正に情報を閲覧することを防止するために行われる。
一方、被保険者の認証は、療養の対象となっている被保険者以外の被保険者の情報を不正に閲覧することを防止する目的に加えて、情報の閲覧に対する被保検者の同意を確認するために行われる。
【００４６】
例えば、被保険者は、療養担当者が被保険者の情報を閲覧することに同意する場合は、健康保険証など被保険者を識別するカードを療養担当者に貸す。療養担当者は、被保険者から借りたカードを用いて認証処理部１９３による被保険者の認証を受けて、被保険者の情報を示す提供用情報を閲覧する。
一方、被保険者は、療養担当者が被保険者の情報を閲覧することに同意しない場合は、被保険者を識別するカードを療養担当者に貸さない。この場合、療養担当者は、認証処理部１９３による被保険者の認証を受けられず、その結果、被保険者の情報を閲覧できない。
このように、被保険者は、実際に療養を受ける際に、情報の閲覧に同意するか否かを選択できる。そして、被保険者は、カードを貸すか否かという簡単な動作で意思表示を行うことができる。
【００４７】
図９は、情報提供サービス装置２００の機能構成の例を示す概略ブロック図である。図９に示す構成で、情報提供サービス装置２００は、提供側通信部２１０と、提供側記憶部２８０と、提供側制御部２９０とを備える。提供側制御部２９０は、情報提供処理部２９１を備える。
【００４８】
提供側通信部２１０は、他の装置と通信を行う。特に、提供側通信部２１０は、端末装置８００がレセプト情報閲覧用ＩＤリストを含んで送信する提供用情報の提供要求を受信する。また、提供側通信部２１０は、情報提供処理部２９１の制御に従って、提供用情報の提供要求を提供用情報サーバ装置７２０へ送信する。そして、提供側通信部２１０は、提供用情報サーバ装置７２０が提供要求に対する応答として送信する提供用情報を受信する。さらに、提供側通信部２１０は、情報提供処理部２９１の制御に従って、提供要求元の端末装置８００に提供用情報を送信する。
【００４９】
ここで、レセプト情報処理装置１００は、認証処理部１９３が療養担当者の認証および被保険者の認証に成功した場合に、レセプト情報閲覧用ＩＤリストを端末装置８００に送信する。端末装置８００は、レセプト情報処理装置１００からのレセプト情報閲覧用ＩＤリストを受信できた場合に、提供用情報の提供要求にレセプト情報閲覧用ＩＤリストを含んで送信する。
提供側通信部２１０は、提供用情報取得部の例に該当し、認証処理部１９３が認証に成功した場合に、レセプト情報閲覧用ＩＤリストに基づいて保険者の提供用情報サーバ装置７２０から提供用情報を取得する。
また、提供側通信部２１０は、提供用情報送信部の例に該当し、提供用情報サーバ装置７２０から得られた提供用情報を整形して要求元の療養担当者の端末装置８００に送信する。
【００５０】
提供側記憶部２８０は、各種情報を記憶する。提供側記憶部２８０は、情報提供サービス装置２００が備える記憶デバイスを用いて構成される。
提供側制御部２９０は、情報提供サービス装置２００の各部を制御して各種処理を実行する。提供側制御部２９０は、情報提供サービス装置２００が備えるＣＰＵが提供側記憶部２８０からプログラムを読み出して実行することで構成される。
【００５１】
情報提供処理部２９１は、端末装置８００への情報提供の処理を実行する。具体的には、提供用情報の提供要求を提供側通信部２１０が端末装置８００から受信すると、情報提供処理部２９１は、その提供要求からレセプト情報閲覧用ＩＤリストを読み出す。そして、情報提供処理部２９１は、レセプト情報閲覧用ＩＤリストのレセプト識別情報が識別する提供用情報を格納している提供用情報サーバ装置７２０に対し、その提供用情報の提供を要求する。情報提供処理部２９１は、提供側通信部２１０を制御して提供用情報の提供要求を提供用情報サーバ装置７２０へ送信させる。
提供側通信部２１０が提供用情報を提供用情報サーバ装置７２０から受信すると、情報提供処理部２９１は、得られた提供用情報を端末装置８００向けの提供用情報に加工する。そして、情報提供処理部２９１は、提供側通信部２１０を制御して、加工後の提供用情報を要求元の端末装置８００へ送信させる。
【００５２】
図１０は、端末装置８００の装置構成の例を示す概略ブロック図である。図１０に示す構成で、端末装置８００は、スマートフォン８１０とカードリーダ８２０とを備える。
スマートフォン８１０は、端末装置８００の本体として機能する。スマートフォン８１０は、ユーザ操作に従って、提供用情報の提供を情報提供システム１に要求する。そして、スマートフォン８１０は、得られた提供用情報を表示する。
但し、端末装置８００の構成は、スマートフォン８１０を用いた構成に限定されない。例えば、端末装置８００が、スマートフォン８１０に代えてパソコンまたはタブレット端末装置などのコンピュータを用いて構成されていてもよい。
【００５３】
カードリーダ８２０は、療養担当者識別カード８４０の適用を受けて、療養担当者識別カード８４０から療養担当者の認証用情報を読み取る。カードリーダ８２０は、得られた情報をレセプト情報処理装置１００へ出力する。
療養担当者識別カード８４０は、療養担当者の識別情報を示すカードであればよい。例えば療養担当者識別カード８４０は、情報提供システム１専用に設けられたカードであってもよいが、これに限定されない。
被保険者識別カード８３０は、被保険者の識別情報を示すカードであればよい。例えば被保険者識別カード８３０は、被保険者の保険証であってもよいが、これに限定されない。
【００５４】
次に、図１１〜図１４を参照して、情報提供システム１の動作について説明する。
図１１は、レセプト情報処理装置１００がレセプト情報閲覧用ＩＤリストを生成する処理手順の例を示すシーケンス図である。
図１１の処理で、保険者のレセプト情報サーバ装置７１０は、新たに保険の対象となった被保険者の資格情報、または、氏名の変更など資格情報に変更が生じた被保険者の資格情報を、レセプト情報処理装置１００へ送信する（シーケンスＳ１０１）。上記のように、保険証に記載の記号、番号、生年月日および氏名を資格情報として用いることができる。
【００５５】
レセプト情報処理装置１００では、処理側通信部１１０が資格情報を受信すると、個人資格履歴情報生成部１９１が、資格情報のフォーマットをレセプト情報処理装置１００用のフォーマットに変換する（シーケンスＳ１０２）。
さらに、個人資格履歴情報生成部１９１は、資格情報の確認訂正処理を行う（シーケンスＳ１０３）。例えば、個人資格履歴情報生成部１９１は、レセプト情報処理装置１００の表示装置に資格情報を表示させ、資格情報を訂正するユーザ操作に従って資格情報を訂正する。
【００５６】
資格情報の確認訂正処理で、個人資格履歴情報生成部１９１は、資格情報を個人資格履歴に反映させる。具体的には、レセプト情報閲覧用ＩＤリスト記憶部１８１がその被保険者のレセプト情報閲覧用ＩＤリストを記憶していない場合、個人資格履歴情報生成部１９１は、新たな個人資格履歴を生成する。一方、レセプト情報閲覧用ＩＤリスト記憶部１８１がその被保険者のレセプト情報閲覧用ＩＤリストを既に記憶している場合、個人資格履歴情報生成部１９１は、レセプト情報閲覧用ＩＤリストの個人資格履歴を更新するための差分情報を生成する。
【００５７】
個人資格履歴情報生成部１９１は、得られた個人資格履歴または差分を、レセプト情報閲覧用ＩＤリスト記憶部１８１が記憶しているレセプト情報閲覧用ＩＤリストに反映させる（シーケンスＳ１０４）。具体的には、個人資格履歴情報生成部１９１は、新たな個人資格履歴を生成した場合は、その個人資格履歴をレセプト識別情報付与前のレセプト情報閲覧用ＩＤリストとしてレセプト情報閲覧用ＩＤリスト記憶部１８１に記憶させる。また、個人資格履歴情報生成部１９１は、差分情報を生成した場合は、レセプト情報閲覧用ＩＤリスト記憶部１８１が記憶しているレセプト情報閲覧用ＩＤリストのうち個人資格履歴の部分に差分情報を適用して個人資格履歴を更新する。
【００５８】
図１２は、レセプト情報処理装置１００が提供用情報を生成する際の処理の手順の例を示すシーケンス図である。
図１２の処理で、保険者のレセプト情報サーバ装置７１０は、レセプト情報をレセプト情報処理装置１００へ送信する（シーケンスＳ２０１）。
レセプト情報処理装置１００では、処理側通信部１１０がレセプト情報を受信すると、提供用情報生成部１９２が、レセプト情報の名寄せ処理を行う（シーケンスＳ２０２）。ここでいう名寄せは、旧字体と新字体との違いなど、氏名等の表記の揺らぎを解消することである。例えば、提供用情報生成部１９２は、レセプト情報における被保険者の氏名の情報等をレセプト情報処理装置１００の表示装置に表示させ、氏名等を訂正するユーザ操作に従って氏名等の情報を訂正する。
名寄せ処理により、提供用情報生成部１９２は、レセプト情報に示される被保険者のレセプト情報閲覧用ＩＤリストを正確に選択できる。
【００５９】
次に、提供用情報生成部１９２は、レセプト情報に記載の傷病歴および治療歴の情報のうち、予め定められている特定項目の情報を抽出し、特定項目データを生成する（シーケンスＳ２０３）。
そして、提供用情報生成部１９２は、得られた特定項目データにレセプト識別情報を付与して提供用情報を生成する（シーケンスＳ２０４）。
提供用情報生成部１９２は、処理側通信部１１０を制御して、提供用情報をレセプト情報送信元のレセプト情報サーバ装置７１０と同じ保険者の提供用情報サーバ装置７２０へ送信させる（シーケンスＳ２０５）。
【００６０】
提供用情報サーバ装置７２０は、レセプト情報処理装置１００からの提供用情報を受信し格納する（シーケンスＳ２０６）。
一方、レセプト情報処理装置１００では、提供用情報生成部１９２が、シーケンスＳ２０４で用いたレセプト識別情報を、レセプト情報閲覧用ＩＤリスト記憶部１８１が記憶しているレセプト情報閲覧用ＩＤリストに加える更新処理を行う（シーケンスＳ２０７）。
【００６１】
図１３は、レセプト情報処理装置１００が端末装置８００からの要求に応じてレセプト識別情報を送信する処理手順の例を示すシーケンス図である。端末装置８００は、提供用情報を取得する前処理として、レセプト情報処理装置１００からレセプト識別情報を取得する。
図１３の処理で、端末装置８００は、療養担当者の認証用情報を含むログイン要求をレセプト情報処理装置１００へ送信する。
【００６２】
レセプト情報処理装置１００では、処理側通信部１１０がログイン要求を受信すると、処理側制御部１９０は、療養担当者の認証用情報を用いて認証を行い、認証に成功すると療養担当者のログインを行う（シーケンスＳ３０２）。
次に、端末装置８００は、被保険者の識別情報を含むレセプト識別情報要求をレセプト情報処理装置１００へ送信する（シーケンスＳ３０３）。
【００６３】
レセプト情報処理装置１００では、処理側通信部１１０がレセプト識別情報要求を受信すると、処理側制御部１９０が、被保険者の識別情報を用いて被保険者の識別を行う（シーケンスＳ３０４）。ここでの被保険者の識別は、その被保険者のレセプト情報閲覧用ＩＤリストを特定することである。被保険者の識別は、被保険者の認証の例に該当する。
次に、処理側制御部１９０は、被保険者の識別で特定されたレセプト情報閲覧用ＩＤリストのレセプト識別情報を取得する（シーケンスＳ３０５）。処理側制御部１９０が、レセプト情報閲覧用ＩＤリスト記憶部１８１からレセプト情報閲覧用ＩＤリスト全体を読み出すようにしてもよいし、レセプト情報閲覧用ＩＤリストのうちレセプト識別情報の部分を読み出すようにしてもよい。
処理側制御部１９０は、処理側通信部１１０を制御してレセプト識別情報を要求元の端末装置８００へ送信させる（シーケンスＳ３０５）。処理側制御部１９０が処理側通信部１１０を制御して、レセプト情報閲覧用ＩＤリスト全体を送信させるようにしてもよいし、レセプト情報閲覧用ＩＤリストのうちレセプト識別情報の部分を送信させるようにしてもよい。
【００６４】
図１４は、情報提供サービス装置２００が端末装置８００からの要求に応じて提供用情報を提供する際の処理の手順の例を示すシーケンス図である。
図１４の処理で、端末装置８００は、情報提供要求にレセプト識別情報を含めて情報提供サービス装置２００へ送信する（シーケンスＳ４０１）。
情報提供サービス装置２００では、提供側通信部２１０が情報提供要求を受信すると、提供側制御部２９０が、提供用情報を提供用情報サーバ装置７２０に要求する（シーケンスＳ４０２）。具体的には、提供側制御部２９０は、提供側通信部２１０を制御して、端末装置８００から送信されたレセプト識別情報が識別する提供用情報を格納している提供用情報サーバ装置７２０に対して、レセプト識別情報を含む提供用情報要求を送信させる。
【００６５】
提供用情報サーバ装置７２０は、情報提供サービス装置２００からの要求に応じて、レセプト識別情報が識別する提供用情報を読み出す（シーケンスＳ４０３）。そして、提供用情報サーバ装置７２０は、読み出した提供用情報を情報提供サービス装置２００へ送信する（シーケンスＳ４０４）。
情報提供サービス装置２００では、提供側通信部２１０が提供用情報サーバ装置７２０からの提供用情報を受信すると、提供側制御部２９０が得られた提供用情報を整形する（シーケンスＳ４０５）。そして、提供側制御部２９０は、提供側通信部２１０を制御して、整形後の提供用情報を要求元の端末装置８００へ送信させる（シーケンスＳ４０６）。
端末装置８００は、情報提供サービス装置２００からの提供用情報を受信すると、受信した提供用情報を表示する（シーケンスＳ４０７）。
【００６６】
以上のように、提供用情報生成部１９２は、提供用情報を生成する。提供用情報では、保険者から一時的に取得した被保険者のレセプト情報に基づく匿名の情報と、レセプト情報を識別する匿名のレセプト識別情報とが対応付けられている。処理側通信部１１０は、提供用情報をレセプト情報の送信元の保険者のサーバ装置に送信する。提供側通信部２１０は、レセプト識別情報に基づいて保険者の提供用情報サーバ装置７２０から提供用情報を取得する。提供側通信部２１０は、得られた提供用情報を療養担当者の端末装置８００に送信する。
情報提供システム１によれば、レセプト情報に基づく情報（提供用情報）を療養担当者に提供することができる。
【００６７】
かつ、レセプト情報処理装置１００は、保険者のレセプト情報サーバ装置７１０から送信されたレセプト情報を加工し、成果物である提供用情報を、レセプト情報提供元の保険者の提供用情報サーバ装置７２０に送信する。そして、認証処理部１９３は、提供用情報の提供要求に対して、提供される情報の対象者である被保険者の認証を行う。提供側通信部２１０は、認証処理部１９３が認証に成功した場合、保険者の提供用情報サーバ装置７２０から提供用情報を取得する。また、提供側通信部２１０は、得られた提供用情報を要求元の療養担当者の端末装置８００に送信する。
このように、レセプト情報処理装置１００が提供用情報を生成するプロセスが保険者マターとして展開することから、このプロセスは第三者提供には該当しない。これにより、レセプト情報処理装置１００が提供用情報を生成する毎に被保険者の承諾を得る必要はない。そして、認証処理部１９３が、情報提供の際に被保険者の認証を行うことで、被保険者は、実際に療養を受ける際に、情報の閲覧に同意するか否かを選択可能であり、カードを貸すか否かという簡単な動作で意思表示を行うことができる。この点で、情報提供システム１によれば、個人情報保護の法的要件をシステムの運用そのものにより満たすことができる。
【００６８】
また、情報提供システム１自らは、被保険者の情報（レセプト情報または提供用情報）を蓄積する必要がない。この点で、情報提供システム１が被保険者の情報を蓄積する場合よりも情報漏洩の可能性を低減させることができる。
情報提供システム１によるこれらの効果は、レセプトデータの広く国民的な活用によるメリットの最大化と、その前提となる、全国民一人ひとりを対象と見做した個人情報保護の法的要件具備の困難性との相克を解消し、健康保険制度の健全な運用、発展に貢献するものである。
【００６９】
また、認証処理部１９３は、提供用情報の提供要求に対して、情報提供の要求者である療養担当者の認証をさらに行う。提供側通信部２１０は、認証処理部１９３が被保険者の認証および療養担当者の認証の両方に成功した場合、保険者の提供用情報サーバ装置７２０から提供用情報を取得する。
認証処理部１９３が、情報提供の際に、被保険者の認証に加えてさらに療養担当者の認証を行うことで、情報を参照する資格を有していない者が不正に情報提供を要求する可能性を低減させることができる。
【００７０】
また、処理側通信部１１０は、資格情報を取得する。資格情報は、保険者と、当該保険者による保険の適用対象の被保険者とを示す。個人資格履歴情報生成部１９１は、個人資格履歴情報を資格情報に基づいて生成する。個人資格履歴情報では、被保険者と一対一に対応付けられた個人識別情報と、被保険者の現在または過去の保険の保険者毎に当該保険者において被保険者を識別する被保険者識別情報とが対応付けられている。個人資格履歴情報生成部１９１は、レセプト情報閲覧用ＩＤリストを生成する。レセプト情報閲覧用ＩＤリストでは、個人資格履歴情報における被保険者識別情報と被保険者のレセプトを識別するレセプト識別情報とが対応付けられている。提供側通信部２１０は、レセプト情報閲覧用ＩＤリストから得られるレセプト識別情報に基づいて保険者の提供用情報サーバ装置７２０から提供用情報を取得する。
【００７１】
情報提供システム１によれば、個人資格履歴情報を用いて被保険者の現在の保険に対応付けられる情報だけでなく、被保険者の過去の保険に対応付けられる情報も療養担当者に提供することができる。
また、提供用情報サーバ装置７２０は、レセプト識別情報を用いて提供用情報を特定することができる。情報提供システム１によれば、被保険者と提供用情報との対応関係の検出を提供用情報サーバ装置７２０側で行う必要がない点で、提供用情報サーバ装置７２０の負荷が小さくて済み、また、提供用情報サーバ装置７２０の処理時間が短くて済む。
【００７２】
また、処理側通信部１１０は、被保険者の保険の記号および番号と、被保険者の生年月日と、被保険者の氏名とを示す資格情報を取得する。個人資格履歴情報生成部１９１は、被保険者の保険の記号および番号と、被保険者の生年月日と、被保険者の氏名とに基づくハッシュ値を被保険者識別情報として生成する。
個人資格履歴情報生成部１９１が、被保険者の保険の記号および番号と、被保険者の生年月日と、被保険者の氏名とに基づいて被保険者識別情報を生成することで被保険者を一意に特定することができる。
また、個人資格履歴情報生成部１９１が、被保険者識別情報としてハッシュ値を用いることで、情報の匿名化を行うことができる。この点で、情報提供システム１では、より一層情報の保護を図ることができる。
【００７３】
なお、処理側制御部１９０および提供側制御部２９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、コンパクトディスク等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７４】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００７５】
１  情報提供システム
１００  レセプト情報処理装置
１１０  処理側通信部
１８０  処理側記憶部
１８１  レセプト情報閲覧用ＩＤリスト記憶部
１９０  処理側制御部
１９１  個人資格履歴情報生成部
１９２  提供用情報生成部
１９３  認証処理部
２００  情報提供サービス装置
２１０  提供側通信部
２８０  提供側記憶部
２９０  提供側制御部
２９１  情報提供処理部
７１０  レセプト情報サーバ装置
７２０  提供用情報サーバ装置
８００  端末装置
８１０  スマートフォン
８２０  カードリーダ
８３０  被保険者識別カード
８４０  療養担当者識別カード
９００  通信ネットワーク
【図１】
2019197281.tif 000003
【図２】
2019197281.tif 000004
【図３】
2019197281.tif 000005
【図４】
2019197281.tif 000006
【図５】
2019197281.tif 000007
【図６】
2019197281.tif 000008
【図７】
2019197281.tif 000009
【図８】
2019197281.tif 000010
【図９】
2019197281.tif 000011
【図１０】
2019197281.tif 000012
【図１１】
2019197281.tif 000013
【図１２】
2019197281.tif 000014
【図１３】
2019197281.tif 000015
【図１４】
2019197281.tif 000016